(57)【要約】  通信または放送により受信装置に対して映像を配信する映像配信装置であって、前記映像のデータから生成した複数のサムネイルデータと前記映像に付随する字幕データから生成した複数のテキストデータとを時間軸上において関係付けて前記受信装置に対して予め配信しておくサムネイル配信手段と、前記受信装置において表示されたテキストデータの中から選択されたテキストデータの時間情報を含む映像配信要求を前記受信装置から受信する要求受信手段と、前記配信要求を受信した場合に、前記時間情報に基づいて、前記映像データの配信開始位置を特定し、配信するべき映像データの配信を行う映像配信手段と、前記映像配信手段が配信する前記映像データの特定部分に対する所定の処理を行う処理手段と、を備えたことを特徴とする映像配信装置である。
2009022708.tif 000002
【特許請求の範囲】
【請求項１】
通信または放送により受信装置に対して映像を配信する映像配信装置であって、
前記映像のデータから生成した複数のサムネイルデータと前記映像に付随する字幕データから生成した複数のテキストデータとを時間軸上において関係付けて前記受信装置に対して予め配信しておくサムネイル配信手段と、
前記受信装置において表示されたテキストデータの中から選択されたテキストデータの時間情報を含む映像配信要求を前記受信装置から受信する要求受信手段と、
前記配信要求を受信した場合に、前記時間情報に基づいて、前記映像データの配信開始位置を特定し、配信するべき映像データの配信を行う映像配信手段と、
前記映像配信手段が配信する前記映像データの特定部分に対する所定の処理を行う処理手段と、
を備えたことを特徴とする映像配信装置。
【請求項２】
前記処理手段は、前記映像配信手段が配信する前記映像データの特定部分に対する視聴履歴情報を収集する履歴情報収集手段であることを特徴とする請求項１に記載の映像配信装置。
【請求項３】
前記処理手段は、前記映像配信手段が配信する前記映像データの特定部分に基づいて前記映像データのハイライトシーンを作成するハイライト映像作成手段であることを特徴とする請求項１に記載の映像配信装置。
【請求項４】
前記処理手段は、前記映像配信手段が配信する前記映像データの特定部分に対して、前記受信装置において入力されて送信されたコメント情報または評価情報を関係付けて記憶するコメント・評価情報記憶手段であることを特徴とする請求項１に記載の映像配信装置。
【請求項５】
通信または放送により受信装置に対して映像を配信する映像配信装置のコンピュータに、
前記映像のデータから生成した複数のサムネイルデータと前記映像に付随する字幕データから生成した複数のテキストデータとを時間軸上において関係付けて前記受信装置に対して予め配信しておくサムネイル配信手ステップと、
前記受信装置において表示されたテキストデータの中から選択されたテキストデータの時間情報を含む映像配信要求を前記受信装置から受信する要求受信ステップと、
前記配信要求を受信した場合に、前記時間情報に基づいて、映像データの配信開始位置を特定し、配信するべき映像データの配信を行う映像配信ステップと、
前記映像配信ステップで配信する前記映像データの特定部分に対する所定の処理を行う処理ステップと、
を実行させることを特徴とする映像配信プログラム。
【請求項６】
前記処理ステップは、前記映像配信ステップで配信する前記映像データの特定部分に対する視聴履歴情報を収集する履歴情報収集ステップであることを特徴とする請求項５に記載の映像配信プログラム。
【請求項７】
前記処理ステップは、前記映像配信ステップで配信する前記映像データの特定部分に基づいて前記映像データのハイライトシーンを作成するハイライト映像作成ステップであることを特徴とする請求項５に記載の映像配信プログラム。
【請求項８】
前記処理ステップは、前記映像配信ステップで配信する前記映像データの特定部分に対して、前記受信装置において入力されて送信されたコメント情報または評価情報を関係付けて記憶手段に記憶させるコメント・評価情報記憶ステップであることを特徴とする請求項５に記載の映像配信プログラム。
【発明の詳細な説明】
【技術分野】
【０００１】
本発明は、通信または放送を介して画像を配信する映像配信装置及び映像配信プログラムに関する。
本願は、２００７年８月１４日に、日本に出願された特願２００７−２１１４４１号と、２００７年８月１４日に、日本に出願された特願２００７−２１１４４２号と、２００７年８月１４日に、日本に出願された特願２００７−２１１４５９号とに基づき優先権を主張し、その内容をここに援用する。
【背景技術】
【０００２】
テレビジョン放送として放送される番組のデータには、映像データと音声データが含まれている。また、放送される番組データには、映像データとして含まれているため、ユーザ側で表示の可否を選択できない字幕（番組の題名やキャストなどの紹介、または、海外の作品における日本語字幕）が含まれている場合がある。また、放送される番組データには、表示させるか否かをユーザ側で選択可能な字幕データが含まれている場合がある。このような選択可能な字幕データは、一般にクローズドキャプション（Ｃｌｏｓｅｄ  Ｃａｐｔｉｏｎ）と称され、主に、聴覚障害者用に開発され、海外の作品における日本語字幕のように、出演者の会話だけではなく、例えば、ＢＧＭや効果音などの説明も含まれる。【０００３】
例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のアナログの地上波放送では、映像信号に５２５本の走査線が用いられており、この５２５本のうち、各フィールド（２フィールドで１フレームを構成）の最初の２１本相当は、ＶＢＩ（Ｖｅｒｔｉｃａｌ  Ｂｌａｎｋｉｎｇ  Ｉｎｔｅｒｖａｌ：垂直帰線消去期間）と称される、走査を開始するためのインターバル用に割り当てられている。クローズドキャプションは、各フィールドのＶＢＩのうち、ＶＢＩの２１本目に文字コードを多重化することによって伝送される。そして、各フィールドを使って２種類の文字セットを毎秒約６０文字が伝送されている。【０００４】
また、デジタルテレビ放送の字幕情報の伝送については、国内規定である地上デジタルテレビジョン放送運用規定・技術資料（ＡＲＩＢ  ＴＲ−Ｂ１４）、ＢＳ／広帯域ＣＳデジタル放送運用規定・技術資料（ＡＲＩＢ  ＴＲ−Ｂ１５）で規定されているように、字幕情報用のトランスポートストリームを使って映像情報の伝送と同時に字幕情報を伝送できるように構成されている。そして、デジタルテレビ放送用受信機において、字幕情報に対応する符号がデコードされ、字幕を構成する文字、図形が生成されて、映像に重畳されて表示される。デジタルテレビ放送において、字幕情報用のトランスポートストリームを使って映像情報の伝送と同時に伝送されたテキスト情報を、内部に保存したり、内部に保存したテキスト情報をテレビモニタでいつでも表示閲覧したりすることができるようにすることにより、ユーザが、表示された字幕のメモを取らなくても、字幕の情報を活用することができるようにした技術がある（例えば、特許文献１参照）。【０００５】
テレビジョン放送は、近年、例えば、携帯電話やＰＤＡ（Ｐｅｒｓｏｎａｌ  Ｄｉｇｉｔａｌ  Ａｓｓｉｓｔａｎｔ）などのユーザが携帯可能な端末でも閲覧することができるようになってきている。また、家庭内の録画装置で録画された番組を、携帯可能な装置に装着する記録媒体に記録し、その記録媒体から、記録された番組を再生するといったようなことも行われている。このように、放送される字幕データは、さまざまなサービスに利用され始めている。また、テレビジョン放送自体も、さまざまな装置で受信され、その受信された番組が閲覧できるような仕組みも設けられている。【０００６】
しかしながら、テレビジョン放送は、さまざまな装置で受信され、そのテレビジョン放送で放送された番組は、所定の記録媒体に記録され携帯可能な装置で閲覧されるなどされているが、その番組を記録する記録媒体の容量には限度がある。また、携帯可能な装置に装着可能（内蔵可能）な記録媒体という条件が付加されると、さらに、利用できる記録媒体の容量は限定されてしまう。【０００７】
そのため、携帯可能な装置で番組を閲覧すると、短い時間の番組しか閲覧できない（番組の一部分しか閲覧できない）、長い時間分の番組を記録するために圧縮率を高くすると、映像が荒くなり画質が低下してしまうといった問題があった。そのために普及しないといった問題もあった。そこで、携帯可能な装置でも長時間の番組や複数の番組を閲覧でき、かつ、画質が低下してしまうようなことを防ぎながら閲覧できる機能が望まれている。【０００８】
このような問題を解決するため、携帯可能な装置においても、複数の番組や、長時間の番組を閲覧できるようにするために、携帯電話機により指示されたテレビジョン放送の番組を録画し、この録画された番組を時刻情報により関連付けたサムネイル画像データとテキストデータに変換して表示することにより、番組の内容を把握することができる情報処理装置が知られている（例えば、特許文献２参照）。
【特許文献１】特開２００３−０７８８８９号公報
【特許文献２】特開２００６−２５３９６０号公報
【発明の開示】
【発明が解決しようとする課題】
【０００９】
従来の技術では、映像データなどの映像コンテンツをネットワークを介して配信する映像配信装置と、映像配信装置から配信される映像コンテンツをネットワークを介して受信して表示する受信装置とを備える映像配信システムが知られている。
しかしながら、従来から知られている映像配信装置では、受信装置に配信する映像コンテンツ全体の視聴履歴情報について、多くのユーザがそのコンテンツ全体に興味を持ったか否かについて知ることはできるものの、コンテンツ全体の中で、多くのユーザが興味を持った部分を正確に特定することはできなかった。
そのため、映像コンテンツ全体の中から多くのユーザが興味を持った部分を特定して、その特定部分に対して視聴履歴情報の収集、利用などの所定の処理を行うことができないという問題があった。【００１０】
本発明は、このような事情に鑑みてなされたもので、映像コンテンツ全体の中から多くのユーザが興味を持った部分を特定して、その特定部分に対して視聴履歴情報の収集などの所定の処理を行うことを可能とする映像配信システム及び映像配信プログラムを提供することを目的とする。
【課題を解決するための手段】
【００１１】
本発明は、通信または放送により受信装置に対して映像を配信する映像配信装置であって、前記映像のデータから生成した複数のサムネイルデータと前記映像に付随する字幕データから生成した複数のテキストデータとを時間軸上において関係付けて前記受信装置に対して予め配信しておくサムネイル配信手段と、前記受信装置において表示されたテキストデータの中から選択されたテキストデータの時間情報を含む映像配信要求を前記受信装置から受信する要求受信手段と、前記配信要求を受信した場合に、前記時間情報に基づいて、前記映像データの配信開始位置を特定し、配信するべき映像データの配信を行う映像配信手段と、前記映像配信手段が配信する前記映像データの特定部分に対する所定の処理を行う処理手段と、を備えたことを特徴とする。【００１２】
本発明の前記処理手段は、前記映像配信手段が配信する前記映像データの特定部分に対する視聴履歴情報を収集する履歴情報収集手段であることを特徴とする。【００１３】
本発明の前記処理手段は、前記映像配信手段が配信する前記映像データの特定部分に基づいて前記映像データのハイライトシーンを作成するハイライト映像作成手段である。【００１４】
本発明の前記処理手段は、前記映像配信手段が配信する前記映像データの特定部分に対して、前記受信装置において入力されて送信されたコメント情報または評価情報を関係付けて記憶するコメント・評価情報記憶手段である。【００１５】
本発明は、通信または放送により受信装置に対して映像を配信する映像配信装置のコンピュータに、前記映像のデータから生成した複数のサムネイルデータと前記映像に付随する字幕データから生成した複数のテキストデータとを時間軸上において関係付けて前記受信装置に対して予め配信しておくサムネイル配信手ステップと、前記受信装置において表示されたテキストデータの中から選択されたテキストデータの時間情報を含む映像配信要求を前記受信装置から受信する要求受信ステップと、前記配信要求を受信した場合に、前記時間情報に基づいて、映像データの配信開始位置を特定し、配信するべき映像データの配信を行う映像配信ステップと、前記映像配信ステップで配信する前記映像データの特定部分に対する所定の処理を行う処理ステップと、を実行させることを特徴とする。【００１６】
本発明の前記処理ステップは、前記映像配信ステップで配信する前記映像データの特定部分に対する視聴履歴情報を収集する履歴情報収集ステップであることを特徴とする。【００１７】
本発明の前記処理ステップは、前記映像配信ステップで配信する前記映像データの特定部分に基づいて前記映像データのハイライトシーンを作成するハイライト映像作成ステップであることを特徴とする。【００１８】
本発明の前記処理ステップは、前記映像配信ステップで配信する前記映像データの特定部分に対して、前記受信装置において入力されて送信されたコメント情報または評価情報を関係付けて記憶手段に記憶させるコメント・評価情報記憶ステップであることを特徴とする。
【発明の効果】
【００１９】
本発明によれば、映像コンテンツ全体の中から多くのユーザが興味を持った部分を特定して、その特定部分に対して、視聴履歴情報を収集したり、ハイライトシーンを作成したり、コメント情報または評価情報を関係付けて記憶したりするなどの所定の処理を行うことができるという効果が得られる。
【図面の簡単な説明】
【００２０】
【図１】本発明の一実施形態の構成を示すブロック図である。
【図２】図１に示す配信装置１と受信装置２３の動作を示すフローチャートである。
【図３】図１に示す配信装置１と受信装置２３の動作を示すフローチャートである。
【図４】図１に示す配信装置１と受信装置２３の動作を示すフローチャートである。
【図５】図１に示す配信装置１と受信装置２３の動作を示すフローチャートである。
【図６】図１に示す受信装置２３の機能を示す説明図である。
【符号の説明】
【００２１】
１・・・配信装置、２・・・制御部、３・・・入力出力部、４・・・記憶部、５・・・テキスト／サムネイル配信部、６・・・映像／音声／テキスト配信部、８・・・通信部、２３・・・受信装置、２４・・・制御部、２５・・・入力部、２６・・・表示装置、２７・・・通信部、２８・・・記憶部、２９・・・テキスト／サムネイル表示部、３３・・・映像／音声／テキスト表示部、３０、３４・・・データバッファ
【発明を実施するための最良の形態】
【００２２】
以下、本発明の一実施形態による映像配信システムを図面を参照して説明する。図１は同実施形態の構成を示すブロック図である。この図において、符号１は、映像、音声、テキストなどを配信する配信装置である。符号２は、配信装置１の処理動作を統括して制御する制御部である。符号３は、コンテンツデータの入力のほか、各種データの入出力を行う入力出力部である。符号４は、テキスト／サムネイル配信・表示ソフトウエア９、映像／音声／テキスト配信・表示ソフトウエア１０、コンテンツデータ１１、１２、１３、配信・表示部ソフトウェア管理データ１４、コンテンツ管理データ１５、ユーザ管理データ１６、コンテンツ・ユーザ付加データ１７等が記憶される記憶部である。符号５は、テキスト、サムネイルを配信するテキスト／サムネイル配信部である。符号６は、映像、音声、テキストの配信を行う映像／音声／テキスト配信部である。符号７は、ユーザがコンテンツに付与するコメント、評価などのデータを受信し、集約したデータを配信するコンテンツ・ユーザ付加データ受配信部である。符号８は、情報の放送または情報通信を行う通信部である。【００２３】
所定の処理部５０は、履歴情報収集部５１、ハイライト映像作成部５２、コメント・評価情報記憶部５３を備えており、映像／音声／テキスト配信部６が、通信部８を介して受信装置２３に配信する映像データの映像データの特定部分に対して、所定の処理を行う。
履歴情報収集部５１は、映像／音声／テキスト配信部６が、通信部８を介して受信装置２３に配信する映像データの特定部分に対する視聴履歴情報を収集する。
ハイライト映像作成部５２は、映像／音声／テキスト配信部６が、通信部８を介して受信装置２３に配信する映像データの特定部分に基づいて、映像データのハイライトシーンを作成する。
コメント・評価情報記憶部５３は、映像／音声／テキスト配信部６が、通信部８を介して受信装置２３に配信する映像データの特定部分に対して、受信装置２３において入力されて送信されたコメント情報または評価情報を関係付けて記憶する。【００２４】
テキスト／サムネイル配信・表示ソフトウエア９は、テキスト／サムネイルの配信・表示処理を実現するソフトウエアである。映像／音声／テキスト配信・表示ソフトウエア１０は、映像、音声、テキストの配信・表示処理を実現するソフトウェアである。コンテンツデータ１１は、映像、音声、テキスト、サムネイル、その他のデータで構成されるコンテンツデータであり、各データは配信装置１から通信部を介して配信される。コンテンツデータ１１は、時間的に切り替わる静止画像の集まりも含む映像データ（動画像データ）１８、映像に時間的に連動した音声データ１９、テレビ放送の字幕をテキストに変換したデータなどの映像、または音声に時間的に連動したテキストデータ２０、映像を縮小した静止画像データであるサムネイルデータ２１及びコンテンツ全体の名称、概要などの全体情報データと、コンテンツの一部のシーン説明、ＢＧＭ、タイトル名などの個別情報データに大別され、映像、または音声に時間的に連動するその他のデータ２２から構成する。【００２５】
配信・表示ソフトウェア管理データ１４は、テキスト／サムネイル配信・表示部ソフトウエアおよび映像／音声／テキスト配信・表示ソフトウエアを管理するデータである。コンテンツ管理データ１５は、コンテンツデータ１１〜１３を管理するデータである。ユーザ管理データ１６は、ユーザ情報を管理するデータである。コンテンツ・ユーザ付加データ１７は、ユーザがコンテンツに付与するコメント、評価などのデータである。【００２６】
符号２３は、配信装置１が配信した映像、音声、テキストなどを受信し、表示する受信装置であり、例えば、携帯電話端末等で構成する。符号２４は、受信装置２３の処理動作を統括して制御する制御部である。符号２５は、ダイヤルキーやファンクションキー等で構成し、ユーザとのマンマシンインタフェースを行う入力部である。符号２６は、ユーザに対して、コンテンツデータなどの表示を行うために液晶のディスプレイ等で構成する表示装置である。符号２７は、放送の受信、配信装置１との間で情報通信を行う通信部である。符号２８は、テキスト／サムネイル表示ソフトウエア３８、映像／音声／テキスト表示ソフトウエア３９、コンテンツデータ４０、４１、４２等が記憶される記憶部である。【００２７】
符号２９は、テキスト／サムネイル表示ソフトウエア３８を用いて、コンテンツデータの中のテキストデータとサムネイルデータなどを、データバッファ３０を介して記憶部２８から読み出して表示装置２６に表示するテキスト／サムネイル表示部であり、テキスト表示部３１とサムネイル表示部３２とから構成する。テキスト表示部３１は、コンテンツデータの中のテキストデータを表示装置２６に表示する。テキストデータは記憶部２８に記憶されたデータや、通信部２７経由で取得されたデータを使用し、入力部２５における操作入力に応答する形で、行送りやページ送りなどの表示制御を行う。サムネイル表示部３２は、コンテンツデータの中のサムネイルデータやその他のデータを表示する。サムネイルデータやその他のデータは、記憶部２８に記憶されたデータや通信部２７経由で取得されたデータを使用する。サムネイルデータやその他のデータのうち、個別情報データについては、テキストデータに連動して表示する。【００２８】
符号３３は、映像／音声／テキスト表示ソフトウエア３９を用いて、コンテンツデータの中の映像データ、音声データ、テキストデータなどを、データバッファ３４を介して記憶部２８から読み出して表示装置２６に表示する映像／音声／テキスト表示部であり、映像表示部、音声出力部、テキスト表示部からなる。映像表示部３５は、コンテンツデータの中の映像データを表示する。映像データは記憶部２８に記憶されたデータや通信部２７経由で取得されたデータを使用し、入力部２５における操作入力に応答する形で、再生、停止、早送り、巻き戻しなどの表示制御を行う。音声出力部３６は、コンテンツデータの中の音声データを表示する。音声データは記憶部２８に記憶されたデータや通信部２７経由で取得されたデータを使用する。音声データは、映像データに連動して出力されるか、または音声データが先行出力され、映像が追従する形で連動して表示される。テキスト表示部３７は、コンテンツデータの中のテキストデータやその他のデータを表示する。テキストデータやその他のデータは記憶部２８に記憶されたデータや通信部２７経由で取得されたデータを使用する。テキストデータやその他データのうち、個別情報データについては、映像データ、または音声データに連動して表示する。【００２９】
テキスト／サムネイル表示ソフトウエア３８は、コンテンツデータの中のテキストデータとサムネイルデータなどを用いて、表示装置２６に表示する処理を実現するソフトウエアである。テキスト／サムネイル表示ソフトウエア３８は配信装置１から通信部２７経由で取得し記憶部２８に記憶する。ユーザからのリクエストに応じて、コンテンツデータをテキスト／サムネイル表示部２９により視聴する場合、このソフトウエアが呼び出され、使用される。テキスト／サムネイル表示ソフトウエア３８はバージョンアップにより改変され、最新のソフトウエアは配信装置１から通信部２７経由で逐次取得する。【００３０】
映像／音声／テキスト表示ソフトウエア３９は、コンテンツデータの中の映像データ、音声データ、テキストデータなどを用いて、表示装置２６に表示する処理を実現するソフトウエアである。映像／音声／テキスト表示ソフトウエア３９は、配信装置１から通信部２７経由で取得され、記憶部２８に記憶する。ユーザからのリクエストに応じて、コンテンツデータを映像／音声／テキスト表示部３３により視聴する場合、このソフトウエアが呼び出され、使用される。映像／音声／テキスト表示ソフトウエア３９はバージョンアップにより改変され、最新のソフトウエアは配信装置１から通信部２７経由で逐次取得する。【００３１】
テキスト／サムネイル表示部２９は、映像コンテンツの内容をテキストとサムネイル等で表現し、テキストとサムネイル等は時間軸上で同期しており、表示されるページを前後に送ることで、映像コンテンツの内容を容易に閲覧することが可能である。また、テキストを検索に利用することで、所望のキーワードに合致した映像コンテンツ内の箇所を、容易に特定することが可能である。また、映像／音声／テキスト表示部３３は、映像コンテンツの内容を映像と音声とテキスト等で表現し、映像と音声とテキスト等は時間軸上で同期している。テキスト／サムネイル表示部２９と、映像／音声／テキスト表示部３３の２つの表示部内の各データは、時間軸上で同期しており、指定した時間において、２つの表示部を同期して切り替えることが可能であり、テキスト／サムネイル表示部２９において、前後の内容を確認した上で、ユーザが部分視聴を希望する箇所を的確に指定して、指定箇所から映像・音声の再生を開始することが可能となる。【００３２】
次に、図６を参照して、図１に示す受信装置２３におけるコンテンツ閲覧機能を説明する。図６は、図１に示す受信装置２３におけるコンテンツ閲覧機能を示す図である。受信装置２３は、メタデータ検索機能、読むモード機能及び見るモード機能の３つの機能を有している。【００３３】
（１）メタデータ検索機能
キーワードの入力により、番組内の見たい箇所へピンポイントで到達することができる機能である。メタデータは、字幕データを利用して作成し、テキストとして提供される。
例えば、検索キーワードとして「ていえん」と入力すると、全番組のメタデータをくまなく検索し、「日本の庭園」と番組内のシーンまでたどり着くことができる。【００３４】
（２）読むモード機能
テキスト（字幕データ）と静止画（サムネイル）を関係付けて表示することにより、手早く情報の閲覧を行うことが可能な機能であり、スクロールとページ送りを行うことができる。テキストと静止画が事前にダウンロードされているため、電波が届かないところでも「いつでもどこでも」閲覧することが可能である。【００３５】
（３）見るモード機能
読むモードにおいてテキスト部分をクリックすると、この時点からの動画を再生することが可能な機能であり、早送り／巻き戻し／サーチ機能を備えている。動画再生は、予め受信装置２３内に蓄積した映像コンテンツを再生する機能と、通信または放送を介してストリーミングで再生する機能を備えている。ストリーミングで再生する場合、長時間の動画再生が可能であり、視聴を中断した箇所を記憶しておき、簡単に視聴の再開が可能である。【００３６】
読むモードと見るモードは、連動して切替えすることが可能であり、読むモードを見たい動画の検索に用いることができる。【００３７】
次に、図２を参照して、図１に示す配信装置１が受信装置２３において視聴された映像コンテンツ全体の中で、多くのユーザが興味を持った箇所を正確に抽出する動作を説明する。図２は、図１に示す配信装置１が受信装置２３において視聴された映像コンテンツ全体の中で、多くのユーザが興味を持った箇所を正確に抽出する動作を示すフローチャートである。まず、テキスト／サムネイル配信部５は受信装置２３からの要求に応じて、サムネイル（縮小静止画像）と各サムネイルに付随するテキスト情報（字幕情報）を通信部８を介して、受信装置２３に対して送信する（ステップＳ１）。これを受けて、受信装置２３は、通信部２７を介して配信装置１から送信されたサムネイルとテキストの情報を受信し、記憶部２８に記憶することにより、このサムネイルとテキストの情報コンテンツデータ４０として保持する（ステップＳ２）。この時点で、映像（動画）データ４３と音声データ４４は、記憶部２８に記憶されておらず、テキストデータ４５とサムネイルデータ４６が記憶されているのみである。【００３８】
次に、ユーザが入力部２５を操作することにより、受信したサムネイルとテキストを表示する指示を行うと、テキスト表示部３１は、記憶部２８に記憶されているテキスト４５を読み出して、表示装置２６に表示するともに、サムネイル表示部３２は、記憶部２８に記憶されているサムネイルデータ４６を読み出して、表示装置２６に表示する（ステップＳ３）。テキストデータ４５とサムネイルデータ４６はともに時間情報（コンテンツの先頭部分からの再生経過時間）が付与されており、この時間情報に基づいて、テキストとサムネイルは同期して表示されることになる。これにより図６に示す「読むモード」が実行されることになる。【００３９】
次に、ユーザが、入力部２５を操作して、テキスト／サムネイル画面を上下にスクロールさせ、動画を見たい部分のテキストを選択する操作を行うと、制御部２４は、選択されたテキストに付随している時間情報を含む動画配信要求コマンドを配信装置１に対して送信する（ステップＳ４）。この動画配信要求コマンドを受信すると（ステップＳ５）、映像／音声／テキスト配信部５は、受信した動画配信要求コマンドに含まれる時間情報に基づいて、配信開始の位置を特定し、この配信開始位置から映像（動画）データ、音声データ、テキスト（字幕）データを読み出して、通信部８を介して、この映像データ、音声データ及びテキストデータからなる動画データをストリーミング配信する（ステップＳ６）。【００４０】
このストリーミング配信された動画データは、通信部２７を介して受信装置２３が受信し、受信した動画データを記憶部２８に記憶する。これにより、映像データ４３、音声データ４４及びテキストデータ４５が記憶部２８に記憶されることになる。これと並行して、映像／音声／テキスト表示部３３は、記憶部２８から映像データ４３、音声データ４４及びテキストデータ４５をデータバッファ３４を介して読み出し、表示装置２６に表示する（ステップＳ７）。これにより、図６に示す読むモードから見るモードに移行し、サムネイル／テキスト画面において選択した部分からの動画を閲覧することが可能となる。【００４１】
次に、ユーザが入力部２５から表示切り替えの操作を行うと、制御部２４は、動画配信停止コマンドを配信装置１に対して送信する（ステップＳ８）。この動画配信停止コマンドを受信すると、映像／音声／テキスト配信部６は、動画データの配信動作を停止する（ステップＳ９）。ここで、映像／音声／テキスト配信部６は、ストリーミング配信した動画の配信開始時間情報（動画の再生位置を特定するための動画の先頭からの経過時間）と配信停止時間情報とコンテンツを特定する識別情報とからなる配信履歴情報を、記憶部４のコンテンツ管理データ１５として記憶する（ステップＳ１０）。この配信履歴情報がユーザが視聴したものと見なして視聴履歴情報となる。【００４２】
そして、映像の閲覧動作を終了するのであれば、受信装置２３、配信装置１ともに処理を終了する（ステップＳ１１、Ｓ１２）。一方、閲覧動作を継続するのであれば、受信装置２３は、ステップＳ３に戻り、サムネイル／テキストを表示装置２６に表示する。これにより、図６に示す見るモードから読むモードに移行することになる。また、配信装置１は、ステップＳ５に戻り、動画配信要求コマンドの受信待ちとなり、次に配信した動画配信履歴情報が記憶部４に記憶されて、複数の配信履歴情報（視聴履歴情報）が記憶部４のコンテンツ管理データ１５として蓄積されることになる。【００４３】
このように、読むモードと見るモードは、連動して切替えすることが可能であり、読むモードを見たい動画の検索に用い、配信した動画を識別する識別情報、動画の配信開始位置と配信停止位置とを視聴履歴情報として記憶するようにしたため、視聴された映像コンテンツ全体の中で、多くのユーザが興味を持った箇所を正確に抽出することができる。【００４４】
従来の技術では、放送番組など、長尺の映像コンテンツについて、あらかじめ蓄積したものを視聴したり、ストリーミングによるＶＯＤ（Ｖｉｄｅｏ  Ｏｎ  Ｄｅｍａｎｄ）視聴を行う場合において、コンテンツ内のユーザアクセスが多い場所の抽出は、アクセスの履歴を記録することで可能であった。
しかしながら、通常の場合コンテンツの冒頭箇所にアクセスが集中するため、コンテンツ内で多くのユーザが興味を持った場所を正確に収集することは困難であるという問題があった。
本実施形態では、映像コンテンツ全体の中で、多くのユーザが興味を持った箇所を正確に抽出することが可能になる。【００４５】
図３を参照して、図１に示す受信装置２３において視聴された映像コンテンツ全体の中で、多くのユーザが興味を持った箇所を正確に抽出して配信装置１へ送信する動作を説明する。図３は、図１に示す受信装置２３において視聴された映像コンテンツ全体の中で、多くのユーザが興味を持った箇所を正確に抽出して配信装置１へ送信する動作を示すフローチャートである。図３において、図２に示す動作と同じ動作は同じ符号を付している。【００４６】
そして、テキスト／サムネイル配信部５は受信装置２３からの要求に応じて、サムネイル（縮小静止画像）と各サムネイルに付随するテキスト情報（字幕情報）を通信部８を介して、受信装置２３に対して送信する（ステップＳ１）。これを受けて、受信装置２３は、通信部２７を介して配信装置１から送信されたサムネイルとテキストの情報を受信し、記憶部２８に記憶することにより、このサムネイルとテキストの情報コンテンツデータ４０として保持する（ステップＳ２）。この時点で、映像（動画）データ４３と音声データ４４は、記憶部２８に記憶されておらず、テキストデータ４５とサムネイルデータ４６が記憶されているのみである。【００４７】
次に、ユーザが入力部２５を操作することにより、受信したサムネイルとテキストを表示する指示を行うと、テキスト表示部３１は、記憶部２８に記憶されているテキスト４５を読み出して、表示装置２６に表示するともに、サムネイル表示部３２は、記憶部２８に記憶されているサムネイルデータ４６を読み出して、表示装置２６に表示する（ステップＳ３）。テキストデータ４５とサムネイルデータ４６はともに時間情報（コンテンツの先頭部分からの再生経過時間）が付与されており、この時間情報に基づいて、テキストとサムネイルは同期して表示されることになる。これにより図６に示す「読むモード」が実行されることになる。【００４８】
次に、ユーザが、入力部２５を操作して、テキスト／サムネイル画面を上下にスクロールさせ、動画を見たい部分のテキストを選択する操作を行うと、制御部２４は、選択されたテキストに付随している時間情報を含む動画配信要求コマンドを配信装置１に対して送信する（ステップＳ４）。この動画配信要求コマンドを受信すると（ステップＳ５）、映像／音声／テキスト配信部５は、受信した動画配信要求コマンドに含まれる時間情報に基づいて、配信開始の位置を特定し、この配信開始位置から映像（動画）データ、音声データ、テキスト（字幕）データを読み出して、通信部８を介して、この映像データ、音声データ及びテキストデータからなる動画データをストリーミング配信する（ステップＳ６）。【００４９】
このストリーミング配信された動画データは、通信部２７を介して受信装置２３が受信し、受信した動画データを記憶部２８に記憶する。これにより、映像データ４３、音声データ４４及びテキストデータ４５が記憶部２８に記憶されることになる。これと並行して、映像／音声／テキスト表示部３３は、記憶部２８から映像データ４３、音声データ４４及びテキストデータ４５をデータバッファ３４を介して読み出し、表示装置２６に表示する（ステップＳ７）。これにより、図６に示す読むモードから見るモードに移行し、サムネイル／テキスト画面において選択した部分からの動画を閲覧することが可能となる。【００５０】
次に、ユーザが入力部２５から表示切り替えの操作を行うと、制御部２４は、動画配信停止コマンドを配信装置１に対して送信する（ステップＳ８）。この動画配信停止コマンドを受信すると、映像／音声／テキスト配信部６は、動画データの配信動作を停止する（ステップＳ９）。ここで、映像／音声／テキスト表示部３３は、ストリーミング配信された動画の配信開始時間情報（動画の再生位置を特定するための動画の先頭からの経過時間）と配信停止時間情報とコンテンツを特定する識別情報とからなる視聴履歴情報を、記憶部２９に一時記憶する（ステップＳ２１）。【００５１】
そして、閲覧動作を継続するか否かを判定し（ステップＳ２２、Ｓ２３）、閲覧動作を継続するのであれば、受信装置２３は、ステップＳ３に戻り、サムネイル／テキストを表示装置２６に表示する。これにより、図６に示す見るモードから読むモードに移行することになる。また、配信装置１は、ステップＳ５に戻り、動画配信要求コマンドの受信待ちとなる。この動作を繰り返して、次に配信された視聴配信履歴情報が記憶部２８に一時記憶されて、複数の視聴履歴情報が記憶部２８に一時記憶されることになる。【００５２】
一方、映像の閲覧動作を終了するのであれば、受信装置２３の制御部２４は、記憶部２８に一時記憶しておいた視聴履歴情報を通信部２７を介して配信装置１へ送信する（ステップＳ２４）。これを受けて、配信装置１の制御部２は、受信装置２３が送信した視聴履歴情報を通信部８を受信し、受信した視聴履歴情報を記憶部４のコンテンツ管理データ１５として記憶する（ステップＳ２５）。そして、受信装置２３、配信装置１ともに処理を終了する。【００５３】
なお、図３に示す動作では、動画をストリーミングによって配信する例を示したが、ステップＳ１において、配信装置１から受信装置２３に対して、サムネイルとテキストを送信する場合に、合わせて動画データの全てを受信装置２３へ配信しておき、サムネイルに付随するテキストが選択された場合に、選択されたテキストの時間情報に基づいて、動画の再生開始位置を特定し、予め受信しておいた動画をこの再生開始位置から再生するようにしてもよい。この場合においても、図３に示す表示操作切り替え操作（ステップＳ８）が行われる度に、視聴履歴情報が受信装置２３に記憶され、映像の視聴を終了する場合に、受信装置２３内部に記憶しておいた視聴履歴情報を配信装置１へ送信する（ステップＳ２４）ようにすればよい。【００５４】
このように、読むモードと見るモードは、連動して切替えすることが可能であり、読むモードを見たい動画の検索に用い、配信した動画を識別する識別情報、動画の配信開始位置と配信停止位置とを視聴履歴情報として記憶するようにしたため、視聴された映像コンテンツ全体の中で、多くのユーザが興味を持った箇所を正確に抽出することができる。【００５５】
前述したように、多くのユーザが興味を持った箇所を正確に抽出することで、以下のような新たな視聴形態が可能となる。
（１）アクセスランキング上位部分の視聴
映像コンテンツの中で、多数のユーザによる映像視聴が多かった箇所を集計し、ランキングなどの形で提供することで、受信装置２３のテキスト／サムネイル表示部２９、または映像／音声／テキスト表示部３３を利用して、ユーザはその箇所に、直接アクセスすることが可能となる。【００５６】
（２）アクセスランキング上位部分のコンテンツのリッチ化
映像コンテンツの中で、多数のユーザによる映像視聴が多かった箇所を集計し、アクセスランキング上位部分に対して、関連する付随情報を追記して、コンテンツの部分リッチ化を行うとともに、関連ＣＭや関連電子商取引へ誘導するリンク情報を付与し、高度なコンテンツ利用を図ることができる。【００５７】
（３）アクセスランキング上位部分の連続視聴
映像コンテンツの中で、多数のユーザによる映像視聴が多かった箇所を集計し、アクセスランキング上位部分のみを連続視聴することが可能となる。また、ユーザのアクセスデータが、自動的に映像コンテンツのハイライトシーンを提供するためのデータとして使用可能となる。【００５８】
従来の技術では、放送番組など、長尺の映像コンテンツについて、あらかじめ蓄積したものを視聴したり、ストリーミングによるＶＯＤ視聴を行う場合において、コンテンツ全体に対してコメントを付与したり、評価を行ったり、友人に勧めるなどのアクションが可能であった。
しかしながら、映像コンテンツの特定のシーン、特定の部分についてのコメントを付与したり、評価を行ったり、友人に勧めるなどのアクションは、例えば「番組開始から１０分経過した部分から３０秒間」など、時間を表現する手段が必要となり、他のユーザの該当箇所へのアクセスは容易ではなく、また、複数のユーザのデータの集計も困難であるという問題があった。
本実施形態では、コンテンツ内の特定部分に対して、容易にコメント付与、評価、友人への推薦などを可能とし、他のユーザがそれら特定部分に対して、容易にアクセスすることが可能になる。【００５９】
図４を参照して、図１に示す受信装置２３において視聴された映像コンテンツ全体の中で、特定部分のコメント付与、評価付与を容易に可能とする動作を説明する。図４は、図１に示す受信装置２３において視聴された映像コンテンツ全体の中で、特定部分のコメント付与、評価付与を容易に可能とする動作を示すフローチャートである。図４において、図２、図３に示す動作と同じ動作は同じ符号を付している。【００６０】
そして、テキスト／サムネイル配信部５は受信装置２３からの要求に応じて、サムネイル（縮小静止画像）と各サムネイルに付随するテキスト情報（字幕情報）を通信部８を介して、受信装置２３に対して送信する（ステップＳ１）。これを受けて、受信装置２３は、通信部２７を介して配信装置１から送信されたサムネイルとテキストの情報を受信し、記憶部２８に記憶することにより、このサムネイルとテキストの情報コンテンツデータ４０として保持する（ステップＳ２）。この時点で、映像（動画）データ４３と音声データ４４は、記憶部２８に記憶されておらず、テキストデータ４５とサムネイルデータ４６が記憶されているのみである。【００６１】
次に、ユーザが入力部２５を操作することにより、受信したサムネイルとテキストを表示する指示を行うと、テキスト表示部３１は、記憶部２８に記憶されているテキスト４５を読み出して、表示装置２６に表示するともに、サムネイル表示部３２は、記憶部２８に記憶されているサムネイルデータ４６を読み出して、表示装置２６に表示する（ステップＳ３）。テキストデータ４５とサムネイルデータ４６はともに時間情報（コンテンツの先頭部分からの再生経過時間）が付与されており、この時間情報に基づいて、テキストとサムネイルは同期して表示されることになる。これにより図６に示す「読むモード」が実行されることになる。【００６２】
次に、ユーザが、入力部２５を操作して、テキスト／サムネイル画面を上下にスクロールさせ、動画を見たい部分のテキストを選択する操作を行うと、制御部２４は、選択されたテキストに付随している時間情報を含む動画配信要求コマンドを配信装置１に対して送信する（ステップＳ４）。この動画配信要求コマンドを受信すると（ステップＳ５）、映像／音声／テキスト配信部５は、受信した動画配信要求コマンドに含まれる時間情報に基づいて、配信開始の位置を特定し、この配信開始位置から映像（動画）データ、音声データ、テキスト（字幕）データを読み出して、通信部８を介して、この映像データ、音声データ及びテキストデータからなる動画データをストリーミング配信する（ステップＳ６）。【００６３】
このストリーミング配信された動画データは、通信部２７を介して受信装置２３が受信し、受信した動画データを記憶部２８に記憶する。これにより、映像データ４３、音声データ４４及びテキストデータ４５が記憶部２８に記憶されることになる。これと並行して、映像／音声／テキスト表示部３３は、記憶部２８から映像データ４３、音声データ４４及びテキストデータ４５をデータバッファ３４を介して読み出し、表示装置２６に表示する（ステップＳ７）。これにより、図６に示す読むモードから見るモードに移行し、サムネイル／テキスト画面において選択した部分からの動画を閲覧することが可能となる。【００６４】
次に、ユーザが入力部２５から表示切り替えの操作を行うと、制御部２４は、動画配信停止コマンドを配信装置１に対して送信する（ステップＳ８）。この動画配信停止コマンドを受信すると、映像／音声／テキスト配信部６は、動画データの配信動作を停止する（ステップＳ９）。ここで、ユーザは、視聴した動画に対するコメントまたは評価の情報を入力部２５から入力する。映像／音声／テキスト表示部３３は、ストリーミング配信された動画の配信開始時間情報（動画の再生位置を特定するための動画の先頭からの経過時間）と配信停止時間情報とコンテンツを特定する識別情報と、入力部２５から入力されたコメントまたは評価の情報とからなるコメント情報・評価情報を、記憶部２９に一時記憶する（ステップＳ３１）。【００６５】
そして、閲覧動作を継続するか否かを判定し（ステップＳ３２、Ｓ３３）、閲覧動作を継続するのであれば、受信装置２３は、ステップＳ３に戻り、サムネイル／テキストを表示装置２６に表示する。これにより、図６に示す見るモードから読むモードに移行することになる。また、配信装置１は、ステップＳ５に戻り、動画配信要求コマンドの受信待ちとなる。この動作を繰り返して、次に配信された動画に対するコメント情報・評価情報が記憶部２８に一時記憶されて、複数のコメント情報・評価情報が記憶部２８に一時記憶されることになる。【００６６】
一方、映像の閲覧動作を終了するのであれば、受信装置２３の制御部２４は、記憶部２８に一時記憶しておいたコメント情報・評価情報を通信部２７を介して配信装置１へ送信する（ステップＳ３４）。これを受けて、配信装置１の制御部２は、受信装置２３が送信したコメント情報・評価情報を通信部８を受信し、受信したコメント情報・評価情報を記憶部４のコンテンツ・ユーザ付加データ１７として記憶する（ステップＳ３５）。そして、受信装置２３、配信装置１ともに処理を終了する。【００６７】
なお、図４に示す動作では、動画をストリーミングによって配信する例を示したが、ステップＳ１において、配信装置１から受信装置２３に対して、サムネイルとテキストを送信する場合に、合わせて動画データの全てを受信装置２３へ配信しておき、サムネイルに付随するテキストが選択された場合に、選択されたテキストの時間情報に基づいて、動画の再生開始位置を特定し、予め受信しておいた動画をこの再生開始位置から再生するようにしてもよい。この場合においても、図４に示す表示操作切り替え操作（ステップＳ８）が行われる度に、コメントや評価の情報が受信装置２３に記憶され、映像の視聴を終了する場合に、受信装置２３内部に記憶しておいたコメントや評価の情報を配信装置１へ送信する（ステップＳ３４）ようにすればよい。【００６８】
このように、読むモードと見るモードは、連動して切替えすることが可能であり、読むモードを見たい動画の検索に用い、配信した動画を識別する識別情報、動画の配信開始位置と配信停止位置と、コメント情報・評価情報とをコンテンツ・ユーザ付加データとして記憶するようにしたため、視聴された映像コンテンツ全体の中で、特定部分のコメント付与または評価付与を行うことができる。また、映像コンテンツ中の特定部分に付与されたコメントは他のユーザに対して提供することが可能となる。また、映像コンテンツ中の特定部分に付与された評価は、他のユーザの評価と集計して、まとめた形で他のユーザに対して情報提供することが可能となる。【００６９】
次に、図５を参照して、図１に示す受信装置２３において視聴された映像コンテンツ全体の中から特定部分を友人に推薦する動作を説明する。図５は、図１に示す受信装置２３において視聴された映像コンテンツ全体の中から特定部分を友人に推薦する動作を示すフローチャートである。図５において、図２〜図４に示す動作と同じ動作は同じ符号を付している。【００７０】
そして、テキスト／サムネイル配信部５は受信装置２３からの要求に応じて、サムネイル（縮小静止画像）と各サムネイルに付随するテキスト情報（字幕情報）を通信部８を介して、受信装置２３に対して送信する（ステップＳ１）。これを受けて、受信装置２３は、通信部２７を介して配信装置１から送信されたサムネイルとテキストの情報を受信し、記憶部２８に記憶することにより、このサムネイルとテキストの情報コンテンツデータ４０として保持する（ステップＳ２）。この時点で、映像（動画）データ４３と音声データ４４は、記憶部２８に記憶されておらず、テキストデータ４５とサムネイルデータ４６が記憶されているのみである。【００７１】
次に、ユーザが入力部２５を操作することにより、受信したサムネイルとテキストを表示する指示を行うと、テキスト表示部３１は、記憶部２８に記憶されているテキスト４５を読み出して、表示装置２６に表示するともに、サムネイル表示部３２は、記憶部２８に記憶されているサムネイルデータ４６を読み出して、表示装置２６に表示する（ステップＳ３）。テキストデータ４５とサムネイルデータ４６はともに時間情報（コンテンツの先頭部分からの再生経過時間）が付与されており、この時間情報に基づいて、テキストとサムネイルは同期して表示されることになる。これにより図６に示す「読むモード」が実行されることになる。【００７２】
次に、ユーザが、入力部２５を操作して、テキスト／サムネイル画面を上下にスクロールさせ、動画を見たい部分のテキストを選択する操作を行うと、制御部２４は、選択されたテキストに付随している時間情報を含む動画配信要求コマンドを配信装置１に対して送信する（ステップＳ４）。この動画配信要求コマンドを受信すると（ステップＳ５）、映像／音声／テキスト配信部５は、受信した動画配信要求コマンドに含まれる時間情報に基づいて、配信開始の位置を特定し、この配信開始位置から映像（動画）データ、音声データ、テキスト（字幕）データを読み出して、通信部８を介して、この映像データ、音声データ及びテキストデータからなる動画データをストリーミング配信する（ステップＳ６）。【００７３】
このストリーミング配信された動画データは、通信部２７を介して受信装置２３が受信し、受信した動画データを記憶部２８に記憶する。これにより、映像データ４３、音声データ４４及びテキストデータ４５が記憶部２８に記憶されることになる。これと並行して、映像／音声／テキスト表示部３３は、記憶部２８から映像データ４３、音声データ４４及びテキストデータ４５をデータバッファ３４を介して読み出し、表示装置２６に表示する（ステップＳ７）。これにより、図６に示す読むモードから見るモードに移行し、サムネイル／テキスト画面において選択した部分からの動画を閲覧することが可能となる。【００７４】
次に、ユーザが入力部２５から表示切り替えの操作を行うと、制御部２４は、動画配信停止コマンドを配信装置１に対して送信する（ステップＳ８）。この動画配信停止コマンドを受信すると、映像／音声／テキスト配信部６は、動画データの配信動作を停止する（ステップＳ９）。ここで、ユーザが、視聴した動画を友人に推薦することを指示する操作を入力部２５から行うと、映像／音声／テキスト表示部３３は、ストリーミング配信された動画の配信開始時間情報（動画の再生位置を特定するための動画の先頭からの経過時間）と配信停止時間情報とコンテンツを特定する識別情報とを制御部２４に受け渡す。これを受けて、制御部２４は、映像／音声／テキスト表示部３３から受け渡された動画の配信開始時間情報と配信停止時間情報とコンテンツを特定する識別情報とからなるコンテンツ推薦情報を友人の受信端末（他の受信端末）へ送信する（ステップＳ４１）。この情報送信は、電子メール等の情報通信手段が用いられる。【００７５】
そして、閲覧動作を継続するか否かを判定し（ステップＳ４２、Ｓ４３）、閲覧動作を継続するのであれば、受信装置２３は、ステップＳ３に戻り、サムネイル／テキストを表示装置２６に表示する。これにより、図６に示す見るモードから読むモードに移行することになる。また、配信装置１は、ステップＳ５に戻り、動画配信要求コマンドの受信待ちとなる。【００７６】
一方、友人が所有する他の受信装置は、コンテンツ推薦情報を受信し（ステップＳ４４）、他の受信装置の制御部２４は、このコンテンツ推薦情報に含まれる動画の配信開始時間情報と配信停止時間情報とコンテンツを特定する識別情報とを含むコンテンツ配信コマンドを配信装置１に対して送信する（ステップＳ４５）。このコンテンツ配信コマンドを受信すると（ステップＳ４６）、配信装置１の映像／音声／テキスト配信部５は、受信したコンテンツ配信コマンドに含まれる動画の配信開始時間情報と配信停止時間情報とコンテンツを特定する識別情報とに基づいて、配信するべきコンテンツを特定するとともに、配信開始の位置を特定し、この配信開始位置から配信停止位置までの映像（動画）データ、音声データ、テキスト（字幕）データを読み出して、通信部８を介して、この映像データ、音声データ及びテキストデータからなる動画データをストリーミング配信する（ステップＳ４７）。【００７７】
このストリーミング配信された動画データは、通信部２７を介して他の受信装置２３が受信し、受信した動画データを記憶部２８に記憶する。これにより、映像データ４３、音声データ４４及びテキストデータ４５が記憶部２８に記憶されることになる。これと並行して、映像／音声／テキスト表示部３３は、記憶部２８から映像データ４３、音声データ４４及びテキストデータ４５をデータバッファ３４を介して読み出し、表示装置２６に表示する（ステップＳ４８）。これにより、友人から推薦された動画を閲覧することが可能となる。【００７８】
次に、他の受信装置２３のユーザが入力部２５から表示終了の操作を行うと、制御部２４は、表示終了コマンドを配信装置１に対して送信する（ステップＳ４９）。この表示終了コマンドを受信すると、映像／音声／テキスト配信部６は、動画データの配信動作を停止する（ステップＳ５０）。【００７９】
なお、図５に示す動作では、動画をストリーミングによって配信する例を示したが、ステップＳ１において、配信装置１から受信装置２３に対して、サムネイルとテキストを送信する場合に、合わせて動画データの全てを受信装置２３へ配信しておき、サムネイルに付随するテキストが選択された場合に、選択されたテキストの時間情報に基づいて、動画の再生開始位置を特定し、予め受信しておいた動画をこの再生開始位置から再生するようにしてもよい。この場合においても、図５に示すコンテンツ推薦情報を送信する操作（ステップＳ４１）が行われる度に、他の受信装置２３に対してコンテンツ推薦情報が送信される（ステップＳ３４）ようにすればよい。また、他の受信装置に対して、動画を配信する場合においてもストリーミングによる配信（ステップＳ４７）に限らず、推薦された部分の動画データ全てをダウンロードしてから表示するようにしてもよい。【００８０】
このように、読むモードと見るモードは、連動して切替えすることが可能であり、読むモードを見たい動画の検索に用い、配信された動画を視聴したユーザは、気に入ったものを友人に推薦するために、推薦するコンテンツを特定するコンテンツ推薦情報を友人が所有する他の受信装置に対して送信することにより、推薦されたユーザは、推薦された部分の映像に、直接アクセスすることが可能となる。【００８１】
次に、映像コンテンツ全体の中からハイライトシーンを作成することについて説明する。ハイライトシーンの作成は、前述したテキスト／サムネイル表示部３３に連動する形で行われ、以下のように行う。
（１）多数のユーザのアクセスランキングを利用
図２、図３に示す視聴履歴情報の収集動作の結果に基づいて、映像コンテンツの中で、多数のユーザによる映像視聴が多かった箇所を集計し、アクセスランキング上位部分のみを自動的にハイライトシーンとして使用して映像配信を行うことにより、ダイジェスト視聴を可能とする。【００８２】
（２）特定のユーザが付与
図４に示すコメント付与動作の結果に基づいて、特定のユーザがハイライトであると思われる部分を選択し、その部分にコメントを付与して配信装置１に送信し、配信装置１が他のユーザに対して、このハイライトシーンの映像配信を行うことにより、ダイジェスト視聴を可能とする。【００８３】
（３）（１）と（２）の組合せ
ユーザが選択したハイライトシーンと視聴が多かったシーンを組合せすることにより、ダイジェスト視聴のためのデータとして使用する。【００８４】
（４）（１）、（２）、（３）のそれぞれに対して、配信側が付与
上記（１）、（２）、（３）のそれぞれに対して、配信側が意図したハイライトシーンをさらに付与するなどして、配信側と視聴側の双方でハイライトシーンを作り出す。【００８５】
このように、ユーザが選択したハイライトシーンと視聴が多かったシーンを特定する情報に基づいて、映像コンテンツ全体の中からハイライトシーンを作成することができるため、ダイジェスト視聴を行うためのハイライトシーンの選択を容易に行うことが可能となり、好適なハイライトシーンをユーザに対して配信することが可能となる。【００８６】
従来の技術では、放送番組など、長尺の映像コンテンツについて、あらかじめ蓄積したものを視聴したり、ストリーミングによるＶＯＤ視聴を行う場合において、ハイライトシーンのみを集めて連続して視聴するダイジェスト視聴が可能であった。この場合、ハイライトシーンを決めるのは、コンテンツの提供側であり、ユーザは決められたデータに従った固定的な視聴が一般的であり、コンテンツ提供側とユーザが、相互的に作り出すハイライトシーンのダイジェスト視聴を行うことは困難であるという問題があった。
本実施形態では、コンテンツ提供側とユーザが、相互的にハイライトシーンを作り出し、１つのコンテンツにおいて、様々なダイジェスト視聴が可能になる。【００８７】
なお、図１における処理部の機能を実現するためのプログラムをコンピュータ読み取り可能な記録媒体に記録して、この記録媒体に記録されたプログラムをコンピュータシステムに読み込ませ、実行することにより映像配信処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。【００８８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００８９】
本発明は、映像コンテンツ全体の中から多くのユーザが興味を持った部分を特定して、その特定部分に対して視聴履歴情報の収集などの所定の処理を行うことを可能とする映像配信装置及び映像配信プログラムなどに適用できる。
【図１】
2009022708.tif 000003
【図２】
2009022708.tif 000004
【図３】
2009022708.tif 000005
【図４】
2009022708.tif 000006
【図５】
2009022708.tif 000007
【図６】
2009022708.tif 000008
【国際調査報告】
2009022708.tif 000009
2009022708.tif 000010
2009022708.tif 000011
2009022708.tif 000012